Podtech/llm-jp-corpus-v4-ja_patent huggingface dataset:
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
被検体に照射するＲＦパルスを発生するＲＦパルス発生部と、
所定の撮像シーケンスに基づいて、前記ＲＦパルス発生部を制御し、前記被検体からのエコー信号の計測を制御する計測制御部と、
前記エコー信号のデータを演算処理して前記被検体の実数成分画像を取得する演算処理部と、
を備えた磁気共鳴イメージング装置において、
前記撮像シーケンスは、第１シーケンス部と第２シーケンス部とを所定の時間間隔を空けて組み合わせて成り、
前記第１シーケンス部は最後に縦磁化を所定の角度に回転するための縦磁化調整ＲＦパルスを有し、
前記演算処理部は、前記第１シーケンス部で計測されたエコー信号に基づいて、前記第２シーケンス部で計測されたエコー信号に基づいて再構成された複素画像データを位相補正し、位相補正後の複素画像データの内の実数成分を抽出して前記実数成分画像を作成することを特徴とする磁気共鳴イメージング装置。
【請求項２】
請求項１記載の磁気共鳴イメージング装置において、
前記第１シーケンス部は、前記第２シーケンス部と同じシーケンス形状に基づいていることを特徴とする磁気共鳴イメージング装置。
【請求項３】
請求項１又は２記載の磁気共鳴イメージング装置において、
前記第１シーケンス部と前記第２シーケンス部とは、ＦＳＥシーケンスに基づいていることを特徴とする磁気共鳴イメージング装置。
【請求項４】
請求項１乃至３のいずれか一項に記載の磁気共鳴イメージング装置において、
前記所定の角度は１８０°であることを特徴とする磁気共鳴イメージング装置。
【請求項５】
請求項３記載の磁気共鳴イメージング装置において、
前記計測制御部は、前記縦磁化調整ＲＦパルスとして、縦磁化を１８０°反転するための９０°ＲＦパルスを、前記ＦＳＥシーケンスにおける最後の１８０°ＲＦパルスの後に、１８０°ＲＦパルス間の時間間隔の半分の時間空けて照射することを特徴とする磁気共鳴イメージング装置。
【請求項６】
請求項２記載の磁気共鳴イメージング装置において、
前記第１シーケンス部と前記第２シーケンス部とは、ｂａｌａｎｃｅｄ  ＳＳＦＰシーケンスに基づいていることを特徴とする磁気共鳴イメージング装置。
【請求項７】
請求項６記載の磁気共鳴イメージング装置において、
前記計測制御部は、前記ｂａｌａｎｃｅｄ  ＳＳＦＰシーケンスの励起角度をα°の場合に、前記縦磁化調整ＲＦパルスとして、縦磁化を１８０°反転するための（１８０−α／２）°ＲＦパルスを、前記ｂａｌａｎｃｅｄ  ＳＳＦＰシーケンスにおける最後のα°ＲＦパルスの後に、α°ＲＦパルス間の時間間隔の半分の時間空けて照射することを特徴とする磁気共鳴イメージング装置。
【請求項８】
磁気共鳴イメージング装置が作動して実数成分画像を取得するための実数成分画像取得方法であって、
位相補正用のエコー信号を計測するステップと、
縦磁化を所定の角度回転させるための縦磁化調整ＲＦパルスを照射するステップと、
所定の時間間隔だけ時間を空けるステップと、
画像用のエコー信号を計測するステップと、
前記画像用のエコー信号に基づいて複素画像データを取得するステップと、
前記複素画像データを前記位相補正用のエコー信号に基づく位相補正データを用いて位相補正するステップと、
前記位相補正後の複素画像データの内から実数成分を抽出して実数成分画像を作成するステップと、
を有することを特徴とする実数成分画像取得方法。
【手続補正２】
【補正対象書類名】明細書
【補正対象項目名】００１４
【補正方法】変更
【補正の内容】
【００１４】
具体的には、本発明のMRI装置は、被検体に照射するRFパルスを発生するRFパルス発生部と、所定の撮像シーケンスに基づいて、RFパルス発生部を制御し、被検体からのエコー信号の計測を制御する計測制御部と、エコー信号のデータを演算処理して被検体の実数成分画像を取得する演算処理部と、を備え、撮像シーケンスは、第1シーケンス部と第2シーケンス部とを所定の時間間隔を空けて組み合わせて成り、第1シーケンス部は最後に縦磁化を所定の角度に回転するための縦磁化調整RFパルスを有し、演算処理部は、第1シーケンス部で計測されたエコー信号に基づいて、第2シーケンス部で計測されたエコー信号に基づいて再構成された複素画像データを位相補正し、位相補正後の複素画像データの内の実数成分を抽出して前記実数成分画像を作成することを特徴とする。
【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
超音波を送受信する振動子を有する超音波探触子と、２次元断層画像と２次元弾性画像とが合成された２次元合成画像を表示する表示部とを備える超音波診断装置であって、
前記２次元合成画像にレンダリング領域を設定するレンダリング領域設定部と、前記レンダリング領域に対応する３次元断層画像を構成する３次元断層画像構成部と、前記レンダリング領域に対応する３次元弾性画像を構成する３次元弾性画像構成部とを備え、前記表示部は３次元断層画像と３次元弾性画像とが合成された３次元合成画像を表示することを特徴とする超音波診断装置。
【請求項２】
前記レンダリング領域設定部によって設定された前記レンダリング領域から断層レンダリングボリューム範囲を設定する断層レンダリングボリューム範囲設定部と、断層レンダリングボリューム範囲設定部により設定された断層レンダリングボリューム範囲に該当する断層ボリュームデータを抽出する断層ボリュームデータ抽出部とを有した断層ボリュームデータ生成部を備えることを特徴とする請求項１記載の超音波診断装置。
【請求項３】
前記レンダリング領域設定部によって設定された前記レンダリング領域から弾性レンダリングボリューム範囲を設定する弾性レンダリングボリューム範囲設定部と、弾性レンダリングボリューム範囲設定部により設定された弾性レンダリングボリューム範囲に該当する弾性ボリュームデータを抽出する弾性ボリュームデータ抽出部とを有した断層ボリュームデータ生成部を備えることを特徴とする請求項１記載の超音波診断装置。
【請求項４】
前記断層レンダリングボリューム範囲設定部によって設定された前記断層レンダリングボリューム範囲と、前記弾性レンダリングボリューム範囲設定部によって設定された弾性レンダリングボリューム範囲は、同じボリューム範囲となることを特徴とする請求項２及び３記載の超音波診断装置。
【請求項５】
前記レンダリング領域設定部は、ボリュームレンダリングで抽出したい２次元断層画像と２次元弾性画像を含み、ボリュームレンダリングで抽出したくない２次元断層画像と２次元弾性画像を含まないように、前記レンダリング領域を設定することを特徴とする請求項１記載の超音波診断装置。
【請求項６】
前記３次元断層画像と前記３次元弾性画像を表示画素毎に加算して合成する合成部を備え、前記表示部は前記３次元合成画像を表示することを特徴とする請求項１記載の超音波診断装置。
【請求項７】
前記レンダリング領域設定部は、直交３断面で表示された２次元合成画像にそれぞれレンダリング領域を設定し、前記表示部はそれぞれの２次元合成画像に設定されたレンダリング領域に対応する３次元合成画像を表示することを特徴とする請求項１記載の超音波診断装置。
【請求項８】
前記レンダリング領域設定部は、前記２次元断層画像の輝度値若しくは前記２次元弾性画像の弾性値に基づいて、前記レンダリング領域を設定することを特徴とする請求項１記載の超音波診断装置。
【請求項９】
前記レンダリング領域設定部は、予め設定された輝度しきい値以下の輝度値を有する２次元断層画像が含まれるように前記レンダリング領域を設定することを特徴とする請求項１記載の超音波診断装置。
【請求項１０】
前記レンダリング領域設定部は、予め設定された弾性しきい値以下の弾性値を有する２次元弾性画像が含まれるように前記レンダリング領域を設定することを特徴とする請求項１記載の超音波診断装置。
【請求項１１】
前記レンダリング領域設定部は、予め設定された輝度しきい値以下の輝度値を有する２次元断層画像と、予め設定された弾性しきい値以下の弾性値を有する２次元弾性画像とが含まれるように前記レンダリング領域を設定することを特徴とする請求項１記載の超音波診断装置。
【請求項１２】
前記レンダリング領域設定部は、前記２次元弾性画像の表示領域を示す弾性画像表示領域に合わせて、前記レンダリング領域を設定することを特徴とする請求項１記載の超音波診断装置。
【請求項１３】
２次元断層画像と２次元弾性画像とが合成された２次元合成画像を表示するステップと、
前記２次元合成画像にレンダリング領域を設定するステップと、
前記レンダリング領域に対応する３次元断層画像を構成するステップと、
前記レンダリング領域に対応する３次元弾性画像を構成するステップと、
前記３次元断層画像と前記３次元弾性画像とが合成された３次元合成画像を表示するステップとを含むことを特徴とする超音波画像表示方法。
【手続補正２】
【補正対象書類名】明細書
【補正対象項目名】０００４
【補正方法】変更
【補正の内容】
【０００４】
【特許文献１】特開2008-259605号公報
【特許文献２】国際公開WO2010／024023号明細書
【手続補正３】
【補正対象書類名】明細書
【補正対象項目名】００１６
【補正方法】変更
【補正の内容】
【００１６】
さらに、超音波診断装置100には、整相加算部108で生成されたRF信号フレームデータを記憶するデータ記憶部109と、データ記憶部109に記憶されたRF信号フレームデータに基づいて2次元断層画像を構成する2次元断層画像構成部113と、2次元断層画像構成部113で構成された複数の2次元断層画像に基づいて断層ボリュームデータを生成する断層ボリュームデータ生成部114と、断層ボリュームデータの輝度と不透明度に基づいてボリュームレンダリングを行ない、3次元断層画像を構成する3次元断層画像構成部115と、データ記憶部109に記憶された複数のRF信号フレームデータに基づいて2次元弾性画像を構成する2次元弾性画像構成部116と、2次元弾性画像構成部116で構成される複数の2次元弾性画像に基づいて弾性ボリュームデータを生成する弾性ボリュームデータ生成部117と、弾性ボリュームデータの弾性値と不透明度に基づいてボリュームレンダリングを行い、3次元弾性画像を構成する3次元弾性画像構成部118と、2次元断層画像と2次元弾性画像とを合成したり、3次元断層画像と3次元弾性画像とを合成したりする合成部119と、合成部119で合成された合成画像、2次元断層画像、2次元弾性画像等を表示する表示部120とが備えられている。断層ボリュームデータのボリュームレンダリングと弾性ボリュームデータのボリュームレンダリングについては、例えば、特許文献2に記載されている手法を用いる。
【手続補正４】
【補正対象書類名】明細書
【補正対象項目名】００１９
【補正方法】変更
【補正の内容】
【００１９】
超音波探触子102は、超音波の送受信と同時に超音波送受信方向(θ、φ)を計測することができ、断層ボリュームデータ生成部114は、複数の2次元断層画像について3次元変換を行ない、断層ボリュームデータを生成する。3次元断層画像構成部115は、断層ボリュームデータについてボリュームレンダリングを行ない、3次元断層画像を構成する。なお、3次元断層画像は、複数の2次元断層画像によって形成されるものであり、3次元形態画像として言い換えることもできる。
【手続補正５】
【補正対象書類名】図面
【補正対象項目名】図１
【補正方法】変更
【補正の内容】
【図１】
2012065737.tif 000001
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
被検体を撮像した医用画像を複数画像として得、前記複数画像を連続再生し得るように前記医用画像をその記録時間とともに記憶する記憶部と、
前記医用画像を表示する表示部と、
前記表示された医用画像について読影レポート情報を入力する入力部と、
前記読影レポート情報と前記医用画像を前記記憶部に記憶させる制御部と、を備えた読影レポート入力端末であって、
前記入力部は、前記読影レポート情報を入力するための前記複数画像のうちから動画として連続再生する画像範囲を設定し、
前記制御部は、前記設定された画像範囲の画像群に対して前記読影レポート情報を入力するための入力画面を生成し、該入力画面を前記表示部に表示するように制御すること特徴とする読影レポート入力端末。
【請求項２】
前記医用画像は、超音波画像若しくは内視鏡画像であり、
前記入力部は、該超音波画像若しくは内視鏡画像の記録時間の任意の時間を動画再生の開始時間、終了時間として設定し、
前記制御部は、該動画再生の開始時間、終了時間により前記画像範囲を求めることを特徴とする請求項1に記載の読影レポート入力端末。
【請求項３】
前記医用画像は、心臓の撮影部位を含む超音波画像であり、
前記入力部は、心臓の心拍の所定時相を動画再生の開始時相、終了時相として設定し、
前記制御部は、該動画再生の開始時相、終了時相により前記画像範囲を求めることを特徴とする請求項1に記載の読影レポート入力端末。
【請求項４】
請求項１乃至３の何れか一項に記載の読影レポート入力端末と、
前記読影レポート入力端末とネットワーク接続され、前記読影レポート情報を保存するサーバと、
を備えたことを特徴とする読影レポート入力システム。
【請求項５】
被検体を撮像した医用画像を複数画像として得、前記複数画像を連続再生し得るように前記医用画像をその記録時間とともに記憶するステップと、
前記医用画像を表示するステップと、
前記表示された医用画像について読影レポート情報を入力するステップと、
前記読影レポート情報を入力するための前記複数画像のうちから動画として連続再生する画像範囲を設定するステップと、
前記設定された画像範囲の画像群に対して前記読影レポート情報を入力するための入力画面を生成し、該入力画面を表示するステップと、を含むこと特徴とする読影レポート入力方法。
【手続補正２】
【補正対象書類名】明細書
【補正対象項目名】００１２
【補正方法】変更
【補正の内容】
【００１２】
具体的な構成は、次の各項に示される。
(1)被検体を撮像した医用画像を複数画像として得、前記複数画像を連続再生し得るように前記医用画像をその記録時間とともに記憶する記憶部と、前記医用画像を表示する表示部と、前記表示された医用画像について読影レポート情報を入力する入力部と、前記読影レポート情報と前記医用画像を前記記憶部に記憶させる制御部と、を備えた読影レポート入力端末であって、前記入力部は、前記読影レポート情報を入力するための前記複数画像のうちから動画として連続再生する画像範囲を設定し、前記制御部は、前記設定された画像範囲の画像群に対して前記読影レポート情報を入力するための入力画面を生成し、該入力画面を前記表示部に表示するように制御すること特徴とする読影レポート入力端末。
【手続補正３】
【補正対象書類名】明細書
【補正対象項目名】００１３
【補正方法】変更
【補正の内容】
【００１３】
上記(1)に示す構成によれば、読影レポート情報を入力するための複数画像のうちから動画として連続再生する画像範囲を設定し、前記設定された画像範囲の画像群に対して前記読影レポート情報を入力するための入力画面を生成し、該入力画面を前記表示部に表示するように制御するので、画像表示切替操作の煩雑さが解消できる。
【手続補正４】
【補正対象書類名】明細書
【補正対象項目名】００１４
【補正方法】変更
【補正の内容】
【００１４】
(2)上記(1)の読影レポート入力端末と、前記読影レポート入力端末とネットワーク接続され、前記読影レポート情報を保存するサーバと、を備えたことを特徴とする読影レポート入力システム。
【手続補正５】
【補正対象書類名】明細書
【補正対象項目名】００１５
【補正方法】変更
【補正の内容】
【００１５】
(3)被検体を撮像した医用画像を複数画像として得、前記複数画像を連続再生し得るように前記医用画像をその記録時間とともに記憶するステップと、前記医用画像を表示するステップと、前記表示された医用画像について読影レポート情報を入力するステップと、前記読影レポート情報を入力するための前記複数画像のうちから動画として連続再生する画像範囲を設定するステップと、前記設定された画像範囲の画像群に対して前記読影レポート情報を入力するための入力画面を生成し、該入力画面を表示するステップと、を含むこと特徴とする読影レポート入力方法。
【手続補正６】
【補正対象書類名】明細書
【補正対象項目名】００１６
【補正方法】変更
【補正の内容】
【００１６】
上記(3)に示す構成によれば、読影レポート情報を入力するための複数画像のうちから動画として連続再生する画像範囲を設定し、該設定された画像範囲の画像群に対して前記読影レポート情報を入力するための入力画面を生成し、該入力画面を表示するので、画像表示切替操作の煩雑さが解消できる。
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
ベース部材と、
上記ベース部材に装着され、被験対象を載せた載置構造体の脚部の下端部から、当該脚部を伝達して来る上記被験対象及び上記載置構造体の重量荷重並びに上記被験対象が発生する微小振動を受けて、上記重量荷重を上記ベース部材との間に支持する荷重支持用弾性部材と、
上記脚部の下端部から上記微小振動を受けて、上記ベース部材に振動自在に設けられた圧電素子板に伝達する振動伝達弾性部材と
を具え、上記圧電素子板から上記微小振動に応じた生体情報信号を送出する生体情報収集装置。
【請求項２】
上記荷重支持用弾性部材は、上記振動伝達弾性部材より大きい弾性係数を有する
請求項１に記載の生体情報収集装置。
【請求項３】
上記載置構造体はベッド又は椅子で構成され、当該ベッド又は椅子を支持する脚部に組み込まれた
請求項１に記載の生体情報収集装置。
【請求項４】
上記載置構造体の脚部の下端部に対して、上記ベース部材と、回転軸を有するキャスタとを、上下方向に揺動自在に順次重ねるように装着した
請求項１に記載の生体情報収集装置。
【請求項５】
上記キャスタの回転軸は、円筒状中間保持部材の内周面に配設された円筒状緩衝部材内に配設されている
請求項４に記載の生体情報収集装置。
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
撮像部に対して複数の駆動系を備える撮像装置であって、
前記複数の駆動系それぞれを動作させるための動作駆動手段と、
前記複数の駆動系それぞれに対する動作駆動手段を制御する制御手段とを備え、
前記制御手段は、前記複数の駆動系を複数の組に分けた内の二組以上の駆動系の動作を行う場合、前記二組以上の駆動系の動作を排他的に動作させるよう制御する
ことを特徴とする撮像装置。
【請求項２】
前記複数の駆動系の内、少なくとも１つの駆動系の駆動速度が一定速度以上の場合において、前記制御手段は、前記二組以上の駆動系の動作を行う場合、前記二組以上の駆動系の動作を排他的に動作させるよう制御する
ことを特徴とする請求項１に記載の撮像装置。
【請求項３】
前記複数の駆動系は、
前記撮像部をパン方向に回転するパン機構と、
前記撮像部をチルト方向に回転するチルト機構と、
前記撮像部の光軸方向を回転するローテーション機構と、
前記撮像部の撮像レンズのズームを行うズーム機構と、
赤外線光カットフィルタ挿抜機構と
のうち、少なくとも２つ以上を含む
ことを特徴とする請求項１また２に記載の撮像装置。
【請求項４】
前記複数の駆動系の内、少なくとも１つの駆動系による動作に相当する動作を画像処理によって実現する画像処理手段を更に備え、
前記制御手段は、前記二組以上の駆動系の動作を行う場合、前記二組以上の駆動系の動作を排他的に動作させるよう制御するとともに、駆動対象の組の駆動系の動作中に、該駆動対象の組以外の組の動作に相当する動作を前記画像処理手段によって行う
ことを特徴とする請求項１から３のいずれか１項に記載の撮像装置。
【請求項５】
撮像部に対して複数の駆動系を備える撮像装置の制御方法であって、
前記複数の駆動系に対する制御指令を受信する受信工程と、
前記受信工程で受信する制御指令に応じて、前記複数の駆動系を複数の組に分けた内の二組以上の駆動系の動作を行う場合、前記二組以上の駆動系の動作を排他的に動作させるよう制御する制御工程と
を備えることを特徴とする撮像装置の制御方法。
【請求項６】
前記複数の駆動系の内、少なくとも１つの駆動系の駆動速度が一定速度以上の場合において、前記制御工程は、前記二組以上の駆動系の動作を行う場合、前記二組以上の駆動系の動作を排他的に動作させるよう制御する
ことを特徴とする請求項５に記載の撮像装置の制御方法。
【請求項７】
撮像部に対して複数の駆動系を備える撮像装置の制御をコンピュータに機能させるためのプログラムであって、
前記複数の駆動系に対する制御指令を受信する受信手順と、
前記受信手順で受信する制御指令に応じて、前記複数の駆動系を複数の組に分けた内の二組以上の駆動系の動作を行う場合、前記二組以上の駆動系の動作を排他的に動作させるよう制御する制御手順と
を前記コンピュータに実行させることを特徴とするプログラム。
【請求項８】
前記複数の駆動系の内、少なくとも１つの駆動系の駆動速度が一定速度以上の場合において、前記制御手順は、前記二組以上の駆動系の動作を行う場合、前記二組以上の駆動系の動作を排他的に動作させるよう制御する
ことを特徴とする請求項７に記載のプログラム。
【手続補正２】
【補正対象書類名】明細書
【補正対象項目名】００１２
【補正方法】変更
【補正の内容】
【００１２】
上記の目的を達成するための本発明による撮像装置は以下の構成を備える。即ち、
撮像部に対して複数の駆動系を備える撮像装置であって、
前記複数の駆動系それぞれを動作させるための動作駆動手段と、
前記複数の駆動系それぞれに対する動作駆動手段を制御する制御手段とを備え、
前記制御手段は、前記複数の駆動系を複数の組に分けた内の二組以上の駆動系の動作を行う場合、前記二組以上の駆動系の動作を排他的に動作させるよう制御する。
【手続補正書】
【提出日】平成25年7月2日(2013.7.2)
【手続補正１】
【補正対象書類名】明細書
【補正対象項目名】発明の名称
【補正方法】変更
【補正の内容】
【発明の名称】撮影機器及び撮像方法
【手続補正２】
【補正対象書類名】明細書
【補正対象項目名】０００１
【補正方法】変更
【補正の内容】
【０００１】
本発明は、撮影機器及び撮像方法に関し、特に、被写体に関連した情報を表示可能な撮影機器及び撮像方法に関する。
【手続補正３】
【補正対象書類名】明細書
【補正対象項目名】０００９
【補正方法】変更
【補正の内容】
【０００９】
そこで、本発明は、ユーザの撮影操作を考慮することによって、被写体に関連する情報を的確に表示することができる撮影機器及び撮像方法を提供することを目的とする。
【手続補正４】
【補正対象書類名】明細書
【補正対象項目名】００１０
【補正方法】変更
【補正の内容】
【００１０】
本発明の一態様による撮影機器は、被写体を撮影するためのレンズ条件を変更可能な撮影機器であって、前記被写体を撮影した撮影画像を表示する表示部と、前記撮影機器の位置情報及び方位情報に基づき、データベースから前記被写体に関連した情報及び前記被写体周辺に関連した情報を読み出す制御部と、前記レンズ条件に応じて、前記被写体に関連した情報を選択するともに、前記撮影画像に選択した前記情報を重畳して前記表示部に表示するように制御する表示制御部と、を有することを特徴とする撮影機器を提供することができる。
本発明の一態様による撮像方法は、被写体を撮影するためのレンズ条件を変更可能な撮影機器が実行する撮像方法であって、前記被写体を撮影した撮影画像を表示部に表示するステップと、前記撮影機器の位置情報及び方位情報に基づき、データベースから前記被写体に関連した情報及び前記被写体周辺に関連した情報を読み出すステップと、前記レンズ条件に応じて、前記被写体に関連した情報を選択するとともに、前記撮影画像に選択した前記情報を重畳して前記表示部に表示するように制御するステップと、を有することを特徴とする。
【手続補正５】
【補正対象書類名】明細書
【補正対象項目名】００１１
【補正方法】変更
【補正の内容】
【００１１】
本発明の撮影機器及び撮像方法によれば、ユーザの撮影操作を考慮することによって、被写体に関連する情報を的確に表示することができる。
【手続補正６】
【補正対象書類名】特許請求の範囲
【補正対象項目名】全文
【補正方法】変更
【補正の内容】
【特許請求の範囲】
【請求項１】
被写体を撮影するためのレンズ条件を変更可能な撮影機器であって、
前記被写体を撮影した撮影画像を表示する表示部と、
前記撮影機器の位置情報及び方位情報に基づき、データベースから前記被写体に関連した情報及び前記被写体周辺に関連した情報を読み出す制御部と、
前記レンズ条件に応じて、前記被写体に関連した情報を選択するともに、前記撮影画像に選択した前記情報を重畳して前記表示部に表示するように制御する表示制御部と、
を有することを特徴とする撮影機器。
【請求項２】
前記レンズ条件は、焦点条件、画角条件、絞り条件、収差条件の少なくとも１つであることを特徴とする請求項１に記載の撮影機器。
【請求項３】
前記制御部は、前記位置情報、前記方位情報に基づき、前記被写体の方向を検出し、
前記表示制御部は、前記被写体の方向を示す情報を前記表示部に設けられた撮影枠外に表示するように制御することを特徴とする請求項１または２に記載の撮影機器。
【請求項４】
前記表示制御部は、前記収差情報に従って、選択した前記情報を歪み付与処理した後、前記表示部に表示するように制御することを特徴とする請求項２または３に記載の撮影機器。
【請求項５】
前記制御部は、前記被写体に関連するアバター情報が前記データベースに記録されているか否かを判定するとともに、前記アバター情報が前記データベースに記録されていると判定すると、前記データベースから前記アバター情報を読み出し、
前記表示制御部は、読み出された前記アバター情報を前記撮影画像に重畳して前記表示部に表示するように制御することを特徴とする請求項１から３のいずれか１つに記載の撮影機器。
【請求項６】
被写体を撮影するためのレンズ条件を変更可能な撮影機器が実行する撮像方法であって、
前記被写体を撮影した撮影画像を表示部に表示するステップと、
前記撮影機器の位置情報及び方位情報に基づき、データベースから前記被写体に関連した情報及び前記被写体周辺に関連した情報を読み出すステップと、
前記レンズ条件に応じて、前記被写体に関連した情報を選択するとともに、前記撮影画像に選択した前記情報を重畳して前記表示部に表示するように制御するステップと、
を有することを特徴とする撮像方法。
【手続補正書】
【提出日】平成25年9月12日(2013.9.12)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】０００１
【補正方法】変更
【補正の内容】
【０００１】
本発明は、被写体を複数の方向から観察できるような画像を表示する表示装置に関する。
【手続補正３】
【補正対象書類名】明細書
【補正対象項目名】０００５
【補正方法】変更
【補正の内容】
【０００５】
本発明は、上記問題点に鑑みてなされたものであり、被写体を複数の方向から観察可能な画像を容易に鑑賞することができる表示装置を提供することを目的とする。
【手続補正４】
【補正対象書類名】明細書
【補正対象項目名】０００６
【補正方法】変更
【補正の内容】
【０００６】
本発明の一態様の表示装置は、互いに相反する方向を向くように配置された少なくとも一対の表示面を含む複数の表示面を持つ表示部と、被写体を複数の方向から観察可能な画像を記憶する記憶部と、前記画像を上記表示部のどの表示面に表示するかを決定する表示制御部とを具備する。
【手続補正５】
【補正対象書類名】明細書
【補正対象項目名】０００７
【補正方法】変更
【補正の内容】
【０００７】
本発明によれば、被写体を複数の方向から観察可能な画像を容易に鑑賞することができる表示装置を実現できる。
【手続補正６】
【補正対象書類名】特許請求の範囲
【補正対象項目名】全文
【補正方法】変更
【補正の内容】
【特許請求の範囲】
【請求項１】
互いに相反する方向を向くように配置された少なくとも一対の表示面を含む複数の表示面を持つ表示部と、
被写体を複数の方向から観察可能な画像を記憶する記憶部と、
前記画像を上記表示部のどの表示面に表示するかを決定する表示制御部と、
を具備することを特徴とする表示装置。
【請求項２】
前記表示制御部は、前記画像に関連付けられた情報に基づいて、前記画像をどの表示面に表示するかを決定することを特徴とする請求項１に記載の表示装置。
【請求項３】
被写体を撮像する撮像部を、さらに具備することを特徴とする請求項１に記載の表示装置。
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
電動モーターであって、
歯車形状を有し、回転する軸を中心に半径方向に磁化された磁石を有する回転子と、
前記回転子の半径方向外側に前記回転子と対向するように配置されたコアであって、前記回転子側に内歯車形状を有する複数の歯を有するコアと、
前記コアに巻かれて半径方向に磁束を発生させる電磁コイルと、
前記回転子の磁束を検出する磁気センサーと、
前記磁気センサーの出力を用いて、前記電磁コイルを駆動するためのＰＷＭ駆動波形を有する駆動信号を生成する制御部と、
を備える、電動モーター。
【請求項２】
請求項１に記載の電動モーターにおいて、
前記電磁コイルに電気角２π分のＰＷＭ駆動波形が入力されたとき、前記歯車の４ピッチ分前記回転子を回転させる、電動モーター。
【請求項３】
請求項１または請求項２に記載の電動モーターにおいて、
前記電動モーターが２相モーターである場合に、前記２相のうちの第１の相に対応する磁気センサーのみを備え、
前記制御部は、前記第１の相に対応した前記磁気センサーの出力の大きさと、前記出力の変化率がプラスかマイナスかと、に基づいて、他相の磁気センサーがあれば出力したであろう出力を算出し、前記磁気センサーの出力及び前記算出した出力とを用いて、前記第１の相及び前記他相の電磁コイルを駆動するための駆動信号を生成する、電動モーター。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の形態又は適用例として実現することが可能である。
本発明の形態によれば、電動モーターが提供される。この電動モーターは、歯車形状を有し、回転する軸を中心に半径方向に磁化された磁石を有する回転子と、前記回転子の半径方向外側に前記回転子と対向するように配置されたコアであって、前記回転子側に内歯車形状を有する複数の歯を有するコアと、前記コアに巻かれて半径方向に磁束を発生させる電磁コイルと、前記回転子の磁束を検出する磁気センサーと、前記磁気センサーの出力を用いて、前記電磁コイルを駆動するためのＰＷＭ駆動波形を有する駆動信号を生成する制御部と、を備える。この形態の電動モーターによれば、制御部は、磁気センサーの出力に応じて電磁コイルを駆動するためのＰＷＭ駆動波形を有する駆動信号を生成するので、ハイブリッドモーターを高回転、高トルクで動作させても脱調し難くできる。
【手続補正書】
【提出日】平成25年4月12日(2013.4.12)
【手続補正１】
【補正対象書類名】特許請求の範囲
【補正対象項目名】請求項２
【補正方法】変更
【補正の内容】
【請求項２】
前記回転軸（１１）の前記一端部には前記筐体（２０）と当接する回転軸側当接部（１１ｂ）が設けられるとともに、前記筐体（２０）には前記回転軸側当接部（１１ｂ）と当接する筐体側当接部（２０ｂ）が設けられ、前記両当接部（１１ｂ、２０ｂ）の少なくとも一方には、前記付勢手段（２２）の付勢方向側ほど径の小さいテーパ面（１１ｄ、２０ｄ）が形成され、前記両当接部（１１ｂ、２０ｂ）が前記テーパ面（１１ｄ、２０ｄ）にて当接することで前記回転軸（１１）の軸振れが規制されることを特徴とする請求項１に記載の回転軸支持構造。
【手続補正２】
【補正対象書類名】明細書
【補正対象項目名】０００８
【補正方法】変更
【補正の内容】
【０００８】
請求項２に記載の発明では、回転軸（１１）の一端部には筐体（２０）と当接する回転軸側当接部（１１ｂ）が設けられるとともに、筐体（２０）には回転軸側当接部（１１ｂ）と当接する筐体側当接部（２０ｂ）が設けられ、両当接部（１１ｂ、２０ｂ）の少なくとも一方には、付勢手段（２２）の付勢方向側ほど径の小さいテーパ面（１１ｄ、２０ｄ）が形成され、両当接部（１１ｂ、２０ｂ）がテーパ面（１１ｄ、２０ｄ）にて当接することで回転軸（１１）の軸振れが規制されることを特徴としている。
【手続補正３】
【補正対象書類名】明細書
【補正対象項目名】０００９
【補正方法】変更
【補正の内容】
【０００９】
このように、回転軸（１１）と筐体（１８、２０）との当接する箇所をテーパ面（１１ｄ）とすることにより、回転軸（１１）と筐体（１８、２０）との当接位置合わせが容易に行われ、回転軸（１１）をセンタリング保持することができる。
【手続補正４】
【補正対象書類名】明細書
【補正対象項目名】００３６
【補正方法】変更
【補正の内容】
【００３６】
例えば、本実施形態の場合は、図３に示されるように、回転軸１１におけるテーパ面１１ｄがブラケット２０における筐体側当接部２０ｂのうちテーパ面２０ｄ以外の部分（角隅部）に押し付けられる。このように押し付けられると、テーパ面１１ｄの全周にわたって筐体側当接部２０ｂが当接した状態となる。そして、テーパ面１１ｄが回転軸１１の中心線を中心とする円錐台形状とされているため、回転軸１１の中心線と中心孔２０ａの中心線とが一致させられ、回転軸１１がセンタリング保持される。
【手続補正５】
【補正対象書類名】明細書
【補正対象項目名】００３７
【補正方法】変更
【補正の内容】
【００３７】
また、回転軸１１における回転軸側当接部１１ｂのうちテーパ面１１ｄ以外の部分がブラケット２０におけるテーパ面２０ｄに押し付けられる場合であっても、上記と同様に、テーパ面２０ｄの全周にわたって回転軸側当接部１１ｂが当接した状態となる。そして、テーパ面２０ｄが中心孔２０ａの中心線を中心とする円錐台の内周面形状とされているため、回転軸１１の中心線と中心孔２０ａの中心線とが一致させられ、回転軸１１がセンタリング保持される。
【手続補正６】
【補正対象書類名】明細書
【補正対象項目名】００４７
【補正方法】変更
【補正の内容】
【００４７】
上記実施形態では、筐体側当接部２０ｂにおけるテーパ面２０ｄと異なる部分（角隅部）を回転軸側当接部１１ｂのテーパ面１１ｄと当接させることで回転軸１１の軸振れを規制するようにした。しかしながら、上記したように、筐体側当接部２０ｂのテーパ面２０ｄと回転軸側当接部１１ｂとを当接させるように構成し、これにより回転軸１１の軸振れを規制するようにしても良い。この場合、筐体側当接部２０ｂのテーパ面２０ｄには、回転軸側当接部１１ｂのテーパ面１１ｄを当接させるように構成してもよいし、テーパ面１１ｄ以外の部分を当接させるように構成しても良い。また、両当接部１１ｂ、２０ｂの一方にのみテーパ面（１１ｄまたは２０ｄ）を設け、このテーパ面に他方を当接させるようにしてもよい。なお、本発明においては、各当接部１１ｂ、２０ｂにテーパ面（１１ｄ、２０ｄ）を設けることを必須とはしていない。よって、各当接部１１ｂ、２０ｂにおいてテーパ面を省略して、単なる段差部（径の異なる部分）を設けてもよい。この場合、段差部における大径部が筐体に当接することで回転軸１１の軸振れが規制される。
【手続補正書】
【提出日】平成25年8月29日(2013.8.29)
【手続補正１】
【補正対象書類名】明細書
【補正対象項目名】０００９
【補正方法】変更
【補正の内容】
【０００９】
＜請求項３記載の発明＞
前記中間部弾性伸縮領域の内面側に固定された基端部と、この基端部から延出する延出部とを有し、延出部の前後端部が起立しない固定部とされ、この前後の固定部間は起立するように非固定の自由部とされ、この自由部に細長状弾性伸縮部材が前後方向に沿って伸長状態で固定されて形成され、前記中間部弾性伸縮領域の前後方向範囲内に収まる立体ギャザーを備え、
前記腹側脚周り弾性伸縮領域及び背側脚周り弾性伸縮領域が、それぞれ前記立体ギャザーの前側及び後側まで、幅方向中央側に延在している、
請求項２記載の止着タイプ使い捨ておむつ。
【手続補正２】
【補正対象書類名】明細書
【補正対象項目名】００４９
【補正方法】変更
【補正の内容】
【００４９】
（ターゲットシート）
腹側Ｆにおけるファスニングテープ１３の係止箇所には、係止を容易にするためのターゲットを有するターゲットシート７４を設けるのが好ましい。ターゲットシート７４は、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。
【手続補正３】
【補正対象書類名】特許請求の範囲
【補正対象項目名】全文
【補正方法】変更
【補正の内容】
【特許請求の範囲】
【請求項１】
股間部と、股間部の前側に延在する腹側部分と、股間部の後側に延在する背側部分とを有し、
腹側部分から背側部分にかけて幅方向中央に沿って延在する吸収体と、この吸収体の表側を覆う液透過性のトップシートと、前記吸収体の裏側を覆うバックシートとを有し、
腹側部分から背側部分にかけて前記吸収体の両側にそれぞれ延出する左右一対のサイドフラップ部と、背側部分の左右のサイドフラップ部に設けられた、腹側部分の外面に対して係止される係止部とを有し、
前記バックシートの両側縁は前記トップシートの両側縁よりも幅方向外側であって、かつ前記サイドフラップ部の幅方向中間にそれぞれ位置しており、
前記背側部分から前記腹側部分にわたる前後方向中間領域の両サイドフラップ部の側縁に、脚周りに沿うように括れた脚周り縁を有し、
前記サイドフラップ部のうち、前後方向において少なくとも前記腹側部分の脚周り縁の一部を含み、かつ幅方向において前記バックシートの側縁からおむつの側縁までを含む領域が、伸縮不織布からなる腹側脚周り弾性伸縮領域とされている、
ことを特徴とする止着タイプ使い捨ておむつ。
【請求項２】
前記サイドフラップ部のうち、前後方向において前記腹側部分における脚周り縁の縦方向中間位置からウエスト縁まで、かつ幅方向において前記バックシートの側縁からおむつの側縁までを含む領域が、伸縮不織布からなる腹側脚周り弾性伸縮領域とされ、
前記サイドフラップ部のうち、前後方向において前記背側部分における脚周り縁の縦方向中間位置からウエスト縁まで、かつ幅方向において前記バックシートの側縁からおむつの側縁までを含む領域が、伸縮不織布からなる背側脚周り弾性伸縮領域とされ、
前記サイドフラップ部のうち、前記腹側脚周り弾性伸縮領域内又はその近傍から前記背側脚周り弾性伸縮領域内又はその近傍までの領域が、細長状弾性伸縮部材が前後方向に沿って伸長状態で固定された中間部弾性伸縮領域とされている、
請求項１記載の止着タイプ使い捨ておむつ。
【請求項３】
前記中間部弾性伸縮領域の内面側に固定された基端部と、この基端部から延出する延出部とを有し、延出部の前後端部が起立しない固定部とされ、この前後の固定部間は起立するように非固定の自由部とされ、この自由部に細長状弾性伸縮部材が前後方向に沿って伸長状態で固定されて形成され、前記中間部弾性伸縮領域の前後方向範囲内に収まる立体ギャザーを備え、
前記腹側脚周り弾性伸縮領域及び背側脚周り弾性伸縮領域が、それぞれ前記立体ギャザーの前側及び後側まで、幅方向中央側に延在している、
請求項２記載の止着タイプ使い捨ておむつ。
【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
チューブ状のグラフトに金属骨格を固定した円筒部の外面に、生体組織に突き刺し可能な突刺部材を設け、前記突刺部材は、前記生体組織を切断可能な刃、又は、前記生体組織を刺通可能な針であることを特徴とするステントグラフト。
【請求項２】
請求項１記載のステントグラフトにおいて、
前記突刺部材は、前記円筒部の半径方向外方に向かう方向で、前記生体組織に突き刺し可能であることを特徴とするステントグラフト。
【請求項３】
請求項２記載のステントグラフトにおいて、
前記突刺部材は、前記円筒部の軸方向に沿って折り畳まれた収納姿勢から、前記円筒部の半径方向に向かって起立した突刺姿勢へと変化可能であることを特徴とするステントグラフト。
【請求項４】
請求項１〜３のいずれか１項に記載のステントグラフトにおいて、
前記突刺部材は、前記円筒部の周方向に複数設けられることを特徴とするステントグラフト。
【請求項５】
請求項４記載のステントグラフトにおいて、
前記突刺部材は、前記円筒部の周方向に所定間隔で複数配置された組が、該円筒部の軸方向に沿って複数列設けられると共に、各組の前記突刺部材の前記周方向での位相が各列でずれて配置されることを特徴とするステントグラフト。
【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
液剤が充填される貯液部と、
長尺状の挿入体の生体組織への挿入部を被覆するための液剤を前記挿入体の外周面に向けて吐出する吐出孔を有し、前記貯液部からの前記液剤を流通可能なノズルを備え、
前記ノズルは、前記挿入体の外周面の少なくとも一部を嵌め込み可能な凹部を有し、該凹部の内面に前記吐出孔が形成されていることを特徴とする液剤塗布具。
【請求項２】
請求項１記載の液剤塗布具において、
前記凹部は、前記挿入体の外周面が最も深く嵌め込まれた状態で、前記吐出孔と前記挿入体の外周面との間に隙間が形成される逃げ部を有することを特徴とする液剤塗布具。
【請求項３】
請求項１〜２のいずれか１項に記載の液剤塗布具において、
前記ノズルは、前記吐出孔から吐出された前記液剤が流れるスライダを有することを特徴とする液剤塗布具。
【請求項４】
請求項１〜３のいずれか１項に記載の液剤塗布具において、
前記貯液部を押圧可能な膨出部が形成された本体部を有し、該本体部に前記ノズルが設けられることを特徴とする液剤塗布具。
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
図柄情報の変動表示を表示可能な変動表示手段と、
始動条件が成立したときに抽選用乱数を取得する乱数取得手段と、
開始条件が成立したときに前記乱数取得手段により取得された抽選用乱数に基づいて抽選を行う抽選手段と、
該抽選手段の抽選結果が当りであるときに遊技者に利益を付与する利益付与状態に制御する利益付与状態制御手段と、を備え、
前記利益付与状態制御手段により前記利益付与状態に制御するときに前記変動表示手段にて前記図柄情報の変動表示を行って特定の図柄情報を停止表示する遊技機において、
前記始動条件が成立してから前記開始条件が成立するまでの間、前記乱数取得手段により取得された抽選用乱数を記憶し、当該抽選用乱数に基づいた前記抽選手段による抽選の実行を所定の上限数まで待機させる乱数記憶手段と、
前記乱数記憶手段に記憶された抽選用乱数の個数分の保留表示を行い、該保留表示を所定の態様で表示可能な保留表示手段と、
前記乱数記憶手段に記憶された抽選用乱数に基づいて、前記保留表示手段における前記保留表示の態様を次々に変化可能とし、当該保留表示の最終的な態様により前記図柄情報の変動表示時における大当り期待度を示唆する保留予告演出を実行する保留予告演出実行手段と、
前記保留表示とは別個に所定の演出表示を表示可能な演出表示部と、
前記保留予告演出を実行する場合において、前記保留表示手段における前記保留表示の態様を変化して表示するだけでなく、前記演出表示部に演出表示を表示させる演出表示実行手段と、を備え、
前記演出表示実行手段は、
前記演出表示部に前記保留表示の態様に応じた演出表示を表示させる保留対応手段と、
特定条件が成立したときには、前記保留表示及び前記演出表示のいずれにも注目させうるように前記演出表示部に前記保留表示の態様に応じない演出表示を表示させる条件成立時実行手段と、を備え、
前記保留予告演出実行手段は、
前記特定条件が成立したときには、前記特定条件が成立しないときよりも高い確率で、前記保留表示の最終的な態様として前記大当り期待度が高い旨を示唆する態様となるように前記保留予告演出を実行する高期待度演出実行手段を備えることを特徴とする遊技機。
【請求項２】
遊技領域に設けられた複数の入賞口のうち始動口に遊技媒体が入賞したことに基づいて前記始動条件が成立することを特徴とする請求項１記載の遊技機。
【請求項３】
前記遊技領域に向けて遊技媒体を打ち込む発射手段を備えることを特徴とする請求項２記載の遊技機。
【手続補正２】
【補正対象書類名】明細書
【補正対象項目名】０００５
【補正方法】変更
【補正の内容】
【０００５】
上記した目的を達成するために、請求項１に係る発明においては、図柄情報の変動表示を表示可能な変動表示手段と、始動条件が成立したときに抽選用乱数を取得する乱数取得手段と、開始条件が成立したときに前記乱数取得手段により取得された抽選用乱数に基づいて抽選を行う抽選手段と、該抽選手段の抽選結果が当りであるときに遊技者に利益を付与する利益付与状態に制御する利益付与状態制御手段と、を備え、前記利益付与状態制御手段により前記利益付与状態に制御するときに前記変動表示手段にて前記図柄情報の変動表示を行って特定の図柄情報を停止表示する遊技機において、前記始動条件が成立してから前記開始条件が成立するまでの間、前記乱数取得手段により取得された抽選用乱数を記憶し、当該抽選用乱数に基づいた前記抽選手段による抽選の実行を所定の上限数まで待機させる乱数記憶手段と、前記乱数記憶手段に記憶された抽選用乱数の個数分の保留表示を行い、該保留表示を所定の態様で表示可能な保留表示手段と、前記乱数記憶手段に記憶された抽選用乱数に基づいて、前記保留表示手段における前記保留表示の態様を次々に変化可能とし、当該保留表示の最終的な態様により前記図柄情報の変動表示時における大当り期待度を示唆する保留予告演出を実行する保留予告演出実行手段と、前記保留表示とは別個に所定の演出表示を表示可能な演出表示部と、前記保留予告演出を実行する場合において、前記保留表示手段における前記保留表示の態様を変化して表示するだけでなく、前記演出表示部に演出表示を表示させる演出表示実行手段と、を備え、前記演出表示実行手段は、前記演出表示部に前記保留表示の態様に応じた演出表示を表示させる保留対応手段と、特定条件が成立したときには、前記保留表示及び前記演出表示のいずれにも注目させうるように前記演出表示部に前記保留表示の態様に応じない演出表示を表示させる条件成立時実行手段と、を備え、前記保留予告演出実行手段は、前記特定条件が成立したときには、前記特定条件が成立しないときよりも高い確率で、前記保留表示の最終的な態様として前記大当り期待度が高い旨を示唆する態様となるように前記保留予告演出を実行する高期待度演出実行手段を備えることを特徴とする。
【手続補正３】
【補正対象書類名】明細書
【補正対象項目名】０００６
【補正方法】変更
【補正の内容】
【０００６】
請求項１記載の遊技機によれば、保留予告演出を実行する場合において、保留表示手段における保留表示の態様を変化して表示するだけでなく、演出表示部に保留表示の態様に応じた演出表示を表示させることにより、変動表示手段による図柄情報の変動表示等に注目している遊技者にも、保留予告演出が実行中である旨を気付き易くすることができる。また、特定条件が成立したときには、保留表示及び演出表示のいずれにも注目させうるように演出表示部に保留表示の態様に応じない演出表示を表示させるが、このとき保留表示手段における保留表示の態様及び演出表示部に表示される演出表示のいずれかに対して遊技者が注目しただけでは、保留表示の態様に応じない演出表示であるかを認識することができない。また、特定条件が成立したときには、特定条件が成立しないときよりも高い確率で、保留表示の最終的な態様として大当り期待度が高い旨を示唆する態様となるように保留予告演出を実行することで、保留表示手段における保留表示の態様及び演出表示部に表示される演出表示のいずれにも期待をもって注目させることができる。
また、請求項２に係る発明においては、遊技領域に設けられた複数の入賞口のうち始動口に遊技媒体が入賞したことに基づいて前記始動条件が成立することを特徴とする。
また、請求項３に係る発明においては、前記遊技領域に向けて遊技媒体を打ち込む発射手段を備えることを特徴とする。
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
超電導線材が巻回された鞍型の超電導コイルが複数積層された多段超電導コイルであって、
複数の鞍型の前記超電導コイルと、
複数の前記超電導コイルのうち、最内周および最外周の少なくとも一方同士を電気的に接続する直線状の超電導線材からなるブリッジ配線と、
前記ブリッジ配線の少なくとも一方の端部において、前記超電導コイルと前記ブリッジ配線との間に配置されたスペーサとを備えた、多段超電導コイル。
【請求項２】
前記スペーサは、非磁性体である、請求項１に記載の多段超電導コイル。
【請求項３】
積層された複数の前記超電導コイルの中空部の中心における軸に対する、複数の前記超電導コイルの主表面の傾斜角度はそれぞれ異なる、請求項１または２に記載の多段超電導コイル。
【請求項４】
請求項１〜３のいずれか１項に記載の多段超電導コイルを備えた、超電導機器。
【手続補正２】
【補正対象書類名】明細書
【補正対象項目名】００１０
【補正方法】変更
【補正の内容】
【００１０】
上記多段超電導コイルにおいて好ましくは、スペーサは、非磁性体である。これにより、スペーサによる磁性の影響を低減できるので、より特性を向上した多段超電導コイルを実現することができる。
上記多段超電導コイルにおいて好ましくは、積層された複数の超電導コイルの中空部の中心における軸に対する、複数の超電導コイルの主表面の傾斜角度はそれぞれ異なる。